(57)【要約】【課題】  簡易に任意の周波数のゲイン（補正）情報等を取得する。【解決手段】  周波数ごとに任意のゲインが設定されている周波数特性データが、チャンネルごとに格納されている格納部１０と、任意のチャンネルを選択するチャンネル選択部１１と、チャンネル選択部１１により選択された任意のチャンネルの中から、任意の周波数を選択する周波数選択部１２と、周波数選択部１２によって選択された任意の周波数を記憶する記憶部１３と、チャンネル選択部１１により任意のチャンネルが選択された際に、対応する周波数特性データを格納部１０から読み出し、読み出した周波数特性データに基づく表示画像を生成し、生成した表示画像を表示部２０に表示し、周波数選択部１２により任意の周波数が選択された際に、表示画像上に任意の周波数を識別可能に表示する表示制御部１５とを備える。【選択図】  図１
2007201726.tif 000002
【特許請求の範囲】
【請求項１】
周波数ごとに任意のゲインが設定されている周波数特性データが、チャンネルごとに格納されている格納手段と、
任意のチャンネルを選択するチャンネル選択手段と、
上記チャンネル選択手段により選択された上記任意のチャンネルの中から、任意の周波数を選択する周波数選択手段と、
上記周波数選択手段によって選択された上記任意の周波数を記憶する記憶手段と、
上記チャンネル選択手段により上記任意のチャンネルが選択された際に、対応する周波数特性データを上記格納手段から読み出し、読み出した上記周波数特性データに基づく表示画像を生成し、生成した上記表示画像を表示部に表示し、上記周波数選択手段により上記任意の周波数が選択された際に、上記表示画像上に上記任意の周波数を識別可能に表示する表示制御手段とを備え、
上記表示制御手段は、上記チャンネル選択手段により他のチャンネルが選択された場合、選択された上記他のチャンネルに対応する周波数特性データを上記格納手段から読み出し、読み出した上記周波数特性データに基づく表示画像を生成し、生成した上記表示画像を上記表示部に表示し、上記記憶手段に記憶されている周波数と同一の周波数を識別可能に上記表示画像上に表示することを特徴とする周波数特性制御装置。
【請求項２】
上記チャンネル選択手段は、右フロントチャンネルと、上記右フロントチャンネルに対する左フロントチャンネルと、右サラウンドチャンネルと、上記右サラウンドチャンネルに対する左サラウンドチャンネルと、右サラウンドバックチャンネルと、上記右サラウンドバックチャンネルに対する左サラウンドバックチャンネルの中から一のチャンネルを選択し、
上記表示制御手段は、上記チャンネル選択手段により選択された一のチャンネルと、上記一のチャンネルに対するチャンネルに対応する周波数特性データをそれぞれ上記格納手段から読み出し、読み出したそれぞれの上記周波数特性データに基づいて一つの表示画像を生成し、生成した上記表示画像を上記表示部に表示することを特徴とする請求項１記載の周波数特性制御装置。
【請求項３】
任意のチャンネルを選択するチャンネル選択ステップと、
上記チャンネル選択ステップにより上記任意のチャンネルが選択された際に、対応する周波数特性データを、周波数ごとに任意のゲインが設定されている周波数特性データが、チャンネルごとに格納されている格納部から読み出し、読み出した上記周波数特性データに基づく表示画像を生成し、生成した上記表示画像を表示部に表示する第１の表示ステップと、
上記チャンネル選択ステップにより選択された上記任意のチャンネルの中から、任意の周波数を選択する周波数選択ステップと、
上記周波数選択ステップによって選択された上記任意の周波数を記憶部に記憶する記憶ステップと、
上記周波数選択ステップにより上記任意の周波数が選択された際に、上記表示画像上に上記任意の周波数を識別可能に表示する第２の表示ステップとを備え、
上記第１の表示ステップは、上記チャンネル選択ステップにより他のチャンネルが選択された場合、選択された上記他のチャンネルに対応する周波数特性データを上記格納部から読み出し、読み出した上記周波数特性データに基づく表示画像を生成し、生成した上記表示画像を上記表示部に表示し、
上記第２の表示ステップは、上記記憶部に記憶されている周波数と同一の周波数を識別可能に上記表示画像上に表示することを特徴とする周波数特性制御方法。
【請求項４】
任意のチャンネルを選択するチャンネル選択ステップと、
上記チャンネル選択ステップにより上記任意のチャンネルが選択された際に、対応する周波数特性データを、周波数ごとに任意のゲインが設定されている周波数特性データが、チャンネルごとに格納されている格納部から読み出し、読み出した上記周波数特性データに基づく表示画像を生成し、生成した上記表示画像を表示部に表示する第１の表示ステップと、
上記チャンネル選択ステップにより選択された上記任意のチャンネルの中から、任意の周波数を選択する周波数選択ステップと、
上記周波数選択ステップによって選択された上記任意の周波数を記憶部に記憶する記憶ステップと、
上記周波数選択ステップにより上記任意の周波数が選択された際に、上記表示画像上に上記任意の周波数を識別可能に表示する第２の表示ステップとをコンピュータに実行させるためのプログラムであって、
上記第１の表示ステップは、上記チャンネル選択ステップにより他のチャンネルが選択された場合、選択された上記他のチャンネルに対応する周波数特性データを上記格納部から読み出し、読み出した上記周波数特性データに基づく表示画像を生成し、生成した上記表示画像を上記表示部に表示し、
上記第２の表示ステップは、上記記憶部に記憶されている周波数と同一の周波数を識別可能に上記表示画像上に表示することを特徴とするプログラム。
【発明の詳細な説明】
【技術分野】
【０００１】
本発明は、各スピーカにおける周波数のゲイン等の設定状況を表示制御する周波数特性制御装置及び方法並びにプログラムに関する。
【背景技術】
【０００２】
音響プレーヤ、レコーダ等の各種音響機器においては、各チャンネルの音声信号に関する各種特性を表示できるようにしたものがある。例えば、イコライザを有するステレオセットにおいて、Ｌ，Ｒの各チャンネルの音声信号に対するイコライジングが可能とされている場合、各チャンネルのイコライジング特性をそれぞれ表示部に表示できるようにしたものが知られている。
【０００３】
【特許文献１】特開平８−３１４４１９号公報
【発明の開示】
【発明が解決しようとする課題】
【０００４】
ところで、任意のチャンネルにおける任意の周波数のゲインを調整した後に、他のチャンネルに移動し、当該他のチャンネルにおける任意の周波数のゲインを調整する場合、ユーザにおいて、他のチャンネルに移動する直前に調整を行った任意のチャンネルにおける任意の周波数と、同一の周波数のゲインを調整したい場合がある。
【０００５】
しかしながら、従来の装置では、チャンネルを切り替えた際、最初に選択される周波数は、初期値（最大値又は最小値）であり、ユーザは、チャンネルを切り替える度に、ゲインの調整対象となる周波数を選択し直す必要があった（図４）。
【０００６】
また、現在、ＡＶアンプにおいては、ユーザの操作に応じて、多くの情報を表示する機能を有しているが、スピーカの設定の操作において、周波数のゲインを調整するために、チャンネルの切り替え操作を行う度に、選択項目（ゲインの調整対象となる周波数）が初期値に更新されてしまっては、任意の周波数の補正情報を取得するために周波数の選択操作が必要となり、使い勝手が悪かった。
【０００７】
そこで、本発明では、上述の問題点に鑑み、チャンネルの切り替え操作が行われ、新たなチャンネルが選択された際に、当該切り替え操作が行われる直前に選択されていた任意のチャンネルの周波数と同一の周波数を選択する周波数特性制御装置及び方法並びにプログラムを提供する。
【課題を解決するための手段】
【０００８】
本発明に係る周波数特性制御装置は、上述の課題を解決するために、周波数ごとに任意のゲインが設定されている周波数特性データが、チャンネルごとに格納されている格納手段と、任意のチャンネルを選択するチャンネル選択手段と、チャンネル選択手段により選択された任意のチャンネルの中から、任意の周波数を選択する周波数選択手段と、周波数選択手段によって選択された任意の周波数を記憶する記憶手段と、チャンネル選択手段により任意のチャンネルが選択された際に、対応する周波数特性データを格納手段から読み出し、読み出した周波数特性データに基づく表示画像を生成し、生成した表示画像を表示部に表示し、周波数選択手段により任意の周波数が選択された際に、表示画像上に任意の周波数を識別可能に表示する表示制御手段とを備える。表示制御手段は、チャンネル選択手段により他のチャンネルが選択された場合、選択された他のチャンネルに対応する周波数特性データを格納手段から読み出し、読み出した周波数特性データに基づく表示画像を生成し、生成した表示画像を表示部に表示し、記憶手段に記憶されている周波数と同一の周波数を識別可能に表示画像上に表示する。
【０００９】
また、本発明に係る周波数特性制御方法は、上述の課題を解決するために、任意のチャンネルを選択するチャンネル選択ステップと、チャンネル選択ステップにより任意のチャンネルが選択された際に、対応する周波数特性データを、周波数ごとに任意のゲインが設定されている周波数特性データが、チャンネルごとに格納されている格納部から読み出し、読み出した周波数特性データに基づく表示画像を生成し、生成した表示画像を表示部に表示する第１の表示ステップと、チャンネル選択ステップにより選択された任意のチャンネルの中から、任意の周波数を選択する周波数選択ステップと、周波数選択ステップによって選択された任意の周波数を記憶部に記憶する記憶ステップと、周波数選択ステップにより任意の周波数が選択された際に、表示画像上に任意の周波数を識別可能に表示する第２の表示ステップとを備える。第１の表示ステップは、チャンネル選択ステップにより他のチャンネルが選択された場合、選択された他のチャンネルに対応する周波数特性データを格納部から読み出し、読み出した周波数特性データに基づく表示画像を生成し、生成した表示画像を表示部に表示し、第２の表示ステップは、記憶部に記憶されている周波数と同一の周波数を識別可能に表示画像上に表示する。
【００１０】
また、本発明に係るプログラムは、上述の課題を解決するために、任意のチャンネルを選択するチャンネル選択ステップと、チャンネル選択ステップにより任意のチャンネルが選択された際に、対応する周波数特性データを、周波数ごとに任意のゲインが設定されている周波数特性データが、チャンネルごとに格納されている格納部から読み出し、読み出した周波数特性データに基づく表示画像を生成し、生成した表示画像を表示部に表示する第１の表示ステップと、チャンネル選択ステップにより選択された任意のチャンネルの中から、任意の周波数を選択する周波数選択ステップと、周波数選択ステップによって選択された任意の周波数を記憶部に記憶する記憶ステップと、周波数選択ステップにより任意の周波数が選択された際に、表示画像上に任意の周波数を識別可能に表示する第２の表示ステップとをコンピュータに実行させるためのプログラムであって、第１の表示ステップは、チャンネル選択ステップにより他のチャンネルが選択された場合、選択された他のチャンネルに対応する周波数特性データを格納部から読み出し、読み出した周波数特性データに基づく表示画像を生成し、生成した表示画像を表示部に表示し、第２の表示ステップは、記憶部に記憶されている周波数と同一の周波数を識別可能に表示画像上に表示する。
【発明の効果】
【００１１】
本願発明では、チャンネルを移動させても、ゲインの選択対象となっている周波数が変動しないため、チャンネルを移動する度に周波数が初期化されず、任意の周波数のゲイン（補正）情報等の取得操作を簡易化することができる。
【発明を実施するための最良の形態】
【００１２】
以下、本発明の実施の形態について、図面を参照しながら詳細に説明する。なお、以下の実施の形態においては、５．１ｃｈ（右フロントチャンネル（ＲＦＣ）と、右フロントチャンネル（ＲＦＣ）に対する左フロントチャンネル（ＬＦＣ）と、右サラウンドチャンネル（ＲＳＣ）と、右サラウンドチャンネル（ＲＳＣ）に対する左サラウンドチャンネル（ＬＳＣ）と、右サラウンドバックチャンネル（ＲＳＢＣ）と、右サラウンドバックチャンネル（ＲＳＢＣ）に対する左サラウンドバックチャンネル（ＬＳＢＣ））出力を備えるホームシアターシステムにおけるイコライザの設定を一例として説明する。
【００１３】
本発明に係る周波数特性制御装置１は、音の再生時において、スピーカから出力される音信号に対して、低音域（低い周波数）から高音域（高い周波数）にかけてゲイン等を調整し、設定状況を表示制御するものであり、図１に示すように、周波数ごとに任意のゲインが設定されている周波数特性データが、チャンネルごとに格納されている格納部１０と、任意のチャンネルを選択するチャンネル選択部１１と、チャンネル選択部１１により選択された任意のチャンネルの中から、任意の周波数を選択する周波数選択部１２と、周波数選択部１２によって選択された任意の周波数を記憶する記憶部１３と、周波数選択部１２によって選択された任意の周波数のゲインを調整するゲイン調整部１４と、チャンネル選択部１１により任意のチャンネルが選択された際に、対応する周波数特性データを格納部１０から読み出し、読み出した周波数特性データに基づく表示画像を生成し、生成した表示画像を表示部２０に表示し、周波数選択部１２により任意の周波数が選択された際に、表示画像上に任意の周波数を識別可能に表示し、ゲイン調整部１４により任意の周波数のゲインが調整された際に、調整されたゲインの情報を表示画像上に表示する表示制御部１５とを備える。
【００１４】
また、表示制御部１５は、チャンネル選択部１１により他のチャンネルが選択された場合、選択された他のチャンネルに対応する周波数特性データを格納部１０から読み出し、読み出した周波数特性データに基づく表示画像を生成し、生成した表示画像を表示部２０に表示し、記憶部１３に記憶されている周波数と同一の周波数を識別可能に表示画像上に表示する。
【００１５】
格納部１０に格納されている周波数特性データは、任意の周波数間隔で規定される各周波数に対して、任意のゲインが初期設定として付されているデータである。また、周波数特性データとしては、例えば、フラットのパターン（ゲインがすべて０ｄＢ）や、低音域が抑えられ、高音域が強調されているパターン（低音域のゲインが０ｄＢよりも低く、高音域のゲインが０ｄＢよりも高い）等がある。また、本実施例では、上述したように、スピーカが６つ用意されているので、格納部１０には、６チャンネル分の周波数特性データが格納されている。また、格納部１０に格納されている周波数特性データは、プリセットされている特性として説明したが、ユーザが過去に自分で設定した特性であっても良い。
【００１６】
チャンネル選択部１１は、ユーザによるチャンネル選択操作に応じて、複数のチャンネルの中から、任意のチャンネルを選択する。このように、チャンネル選択部１１により任意のチャンネルが選択された場合には、表示制御部１５は、対応するチャンネルの周波数特性データを、格納部１０から読み出し、読み出した周波数特性データに基づく表示画像を生成し、生成した表示画像を表示部２０に表示する。
【００１７】
周波数選択部１２は、ユーザによる周波数選択操作に応じて、チャンネル選択部１１により選択された任意のチャンネルの中から、任意の周波数を選択する。また、記憶部１３には、周波数選択部１２によって選択された任意の周波数が記憶される。
【００１８】
また、周波数選択部１２により任意の周波数が選択された場合には、表示制御部１５は、表示部２０に表示されている表示画像上に、当該任意の周波数を識別可能に表示する。
【００１９】
ゲイン調整部１４は、ユーザによるゲイン調整操作に応じて、周波数選択部１２によって選択された任意の周波数のゲインを調整する。また、表示制御部１５は、ゲイン調整部１４により任意の周波数のゲインが調整された際に、調整されたゲインの情報を表示部２０に表示されている表示画像上に表示する。
【００２０】
ここで、周波数特性制御装置１により表示部２０に表示される表示画像について説明する。なお、以下では、表示制御部１５は、チャンネル選択部１４により選択された一のチャンネルに対応する周波数特性データと、当該一のチャンネルに対するチャンネルに対応する周波数特性データとをそれぞれ格納部１０から読み出し、読み出したそれぞれの周波数特性データに基づいて一つの表示画像を生成し、生成した表示画像を表示部２０に表示するものとする。
【００２１】
表示制御部１５は、ユーザによる所定のチャンネル選択操作に応じて、例えば、図２に示すような、表示画像を生成し、表示部２０に表示する。図２ａは、チャンネル選択部１１により右フロントチャンネル（ＲＦＣ）、又は左フロントチャンネル（ＬＦＣ）が選択された際に表示制御部１５によって生成される表示画像を示し、図２ｂは、チャンネル選択部１１により右サラウンドチャンネル（ＲＳＣ）、又は左サラウンドチャンネル（ＬＳＣ）が選択された際に表示制御部１５によって生成される表示画像を示し、図２ｃは、チャンネル選択部１１により右サラウンドバックチャンネル（ＲＳＢＣ）、又は左サラウンドバックチャンネル（ＬＳＢＣ）が選択された際に表示制御部１５によって生成される表示画像を示す。
【００２２】
また、表示画像は、図２に示すように、横軸が周波数（右に行くほど高周波数となる）を示し、縦軸が各周波数の設定ゲイン（−１２ｄＢ〜＋１２ｄＢ）を示しており、また、選択されているチャンネルに応じて、対となる左右のチャンネルを上下に２分割して示しており、また、最上部には、現在選択されているチャンネルの情報と、現在選択されている周波数の情報と、その周波数のそれぞれのチャンネルにおけるゲイン（補正値）の情報とが示されており、また、最下部には、ユーザによる操作をアシストするための操作ガイドが示されている。
【００２３】
つぎに、ユーザによる所定の選択操作に応じて、表示画面が生成され、順次変更される過程について図３に示すフローチャートを参照して説明する。また、ユーザによる所定の選択操作は、操作キー（十字キー）を有する操作装置により行われるものとする。また、操作装置が有する十字キーには、予め、操作機能が付されており、左右キーの操作によりチャンネルの選択操作が行われ、上下キーの操作により周波数の選択操作が行われるものとする。
【００２４】
例えば、ユーザは、操作装置の操作キー（左右キー）により、右フロントチャンネル（ＲＦＣ）を選択操作する（ステップＳ１）。チャンネル選択部１１は、ユーザによるチャンネル選択操作に応じて、右フロントチャンネル（ＲＦＣ）を選択する（ステップＳ２）。表示制御部１５は、チャンネル選択部１１により選択されたチャンネル（ＲＦＣ）に対応する周波数特性データと、ＲＦＣに対するＬＦＣに対応する周波数特性データとを、格納部１０から読み出し、読み出した二つの周波数特性データに基づく表示画像を生成し、生成した表示画像を表示部２０に表示する（ステップＳ３）。
【００２５】
ユーザは、操作装置の操作キー（上下キー）により、ＲＦＣ中の周波数を任意に選択操作する（ステップＳ４）。なお、ステップＳ４の工程では、周波数として、２５０Ｈｚが選択操作されたものとする。
【００２６】
周波数選択部１２は、ユーザによる周波数選択操作に応じて、２５０Ｈｚを選択する（ステップＳ５）。このとき、記憶部１３に選択された周波数（２５０Ｈｚ）が記憶される（ステップＳ６）。
【００２７】
表示制御部１５は、周波数選択部１２により選択された周波数を表示画面上に、識別可能に表示する（ステップＳ７）。なお、ステップＳ７の工程では、図２ａに示すように、選択対象の周波数を明示するために、表示画面の最上部に「２５０Ｈｚ」を表示し、また、グラフィカルに明示的に表示する。また、表示制御部１５は、選択対象となっている周波数を「●」で示し、選択対象となっていない他の周波数を「○」で示すことにより、選択対象となっている周波数を明示的に表示している。
【００２８】
また、表示画面には、「２５０Ｈｚ」における、左チャンネル（ＬＦＣ）のゲイン「５．５ｄＢ」と、右チャンネル（ＲＦＣ）のゲイン「５．５ｄＢ」の情報も併せて示されている。
【００２９】
このとき、ゲインの調整が必要な場合には、ゲイン調整部１４によりゲインの調整が行われる。
【００３０】
また、ユーザは、操作装置の操作キー（左右キー）により、右サラウンドチャンネル（ＲＳＣ）を選択操作する（ステップＳ８）。チャンネル選択部１１は、ユーザによるチャンネル選択操作に応じて、ＲＳＣを選択する（ステップＳ９）。
【００３１】
表示制御部１５は、チャンネル選択部１１により選択されたチャンネル（ＲＳＣ）に対応する周波数特性データと、ＲＳＣに対するＬＳＣに対応する周波数特性データとを、格納部１０から読み出し、読み出した二つの周波数特性データに基づく表示画像を生成し、生成した表示画像を表示部２０に表示する（ステップＳ１０）。ステップＳ１０の工程では、表示制御部１５は、記憶部１３に記憶されている周波数（２５０Ｈｚ）を参照し、当該周波数と同一の周波数を識別可能に表示画像上に表示する（図２ｂ）。
【００３２】
また、ユーザは、操作装置の操作キー（左右キー）により、右サラウンドバックチャンネル（ＲＳＢＣ）を選択操作する（ステップＳ１１）。チャンネル選択部１１は、ユーザによるチャンネル選択操作に応じて、ＲＳＢＣを選択する（ステップＳ１２）。
【００３３】
表示制御部１５は、チャンネル選択部１１により選択されたチャンネル（ＲＳＢＣ）に対応する周波数特性データと、ＲＳＢＣに対するＬＳＢＣに対応する周波数特性データとを、格納部１０から読み出し、読み出した二つの周波数特性データに基づく表示画像を生成し、生成した表示画像を表示部２０に表示する（ステップＳ１３）。ステップＳ１３の工程では、表示制御部１５は、記憶部１３に記憶されている周波数（２５０Ｈｚ）を参照し、当該周波数と同一の周波数を識別可能に表示画像上に表示する（図２ｃ）。
【００３４】
このようにして、周波数特性制御装置１は、図２ａ〜図２ｃに示すように、チャンネルを移動させても、ゲインの選択対象となっている周波数が変動しないため、チャンネルを移動する度に周波数が初期化されず、任意の周波数のゲイン（補正）情報等の取得操作を簡易化することができる。
【００３５】
また、本発明では、上述で説明した周波数特性制御装置１による一連の処理は、ソフトウェアにより行うこともできる。一連の処理をソフトウェアによって行う場合には、そのソフトウェアを構成するプログラムが、汎用のコンピュータ等にインストールされる。また、当該プログラムは、ＣＤ−ＲＯＭのようなリムーバブルメディアに記録されてユーザに配布されても良いし、ネットワークを介してユーザのコンピュータにダウンロードされることにより配布されても良い。
【００３６】
また、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００３７】
【図１】本発明に係る周波数特性制御装置の構成を示すブロック図である。
【図２ａ】本発明に係る周波数特性制御装置により生成された第１の表示画像を示す図である。
【図２ｂ】本発明に係る周波数特性制御装置により生成された第２の表示画像を示す図である。
【図２ｃ】本発明に係る周波数特性制御装置により生成された第３の表示画像を示す図である。
【図３】本発明に係る周波数特性制御装置により表示画像を生成し、生成した表示画像が順次変更される過程についての説明に供するフローチャートである。
【図４】従来装置によるチャンネルの切り替え操作に伴う問題点についての説明に供する図である。
【符号の説明】
【００３８】
１  周波数特性制御装置、１０  格納部、１１  チャンネル選択部、１２  周波数選択部、１３  記憶部、１４  ゲイン調整部、１５  表示制御部
【図１】
2007201726.tif 000003
【図２ａ】
2007201726.tif 000004
【図２ｂ】
2007201726.tif 000005
【図２ｃ】
2007201726.tif 000006
【図３】
2007201726.tif 000007
【図４】
2007201726.tif 000008